(57)【要約】【目的】  冷麺は一旦煮沸して再び冷して食するのが通常である。加熱手段等の固定的な調理場所を用いないで、水道水さえあれば冷麺を食することのできる冷凍弁当。【構成】  容器本体１にざる状で冷凍麺４の入った冷凍麺入れ３とつゆ６、具７を入れるつゆ入れ５を一体とした中子８を設ける。上記を蓋２で密封した冷凍麺弁当となっている。冷凍した状態で流通し、コンビニ等で販売される。蓋２を開けて水道水を注ぐ、流し放しにするか、水換えをして冷凍麺４が戻されて冷麺となる。水を捨て、解凍されたつゆ６、具７を破袋してつゆ入れ５に入れる。冷凍麺４は麺条間に無数の隙間を有する。【選択図】        図1 
2005263308.tif 000002
【特許請求の範囲】
【請求項１】
容器本体を密閉可能で開閉可能な蓋を有する食品容器において、
容器本体内に設けられ冷凍状態の冷凍麺を収容可能であると共に容器本体との間に通水可能な多数の小開口を有するざる状の冷凍麺入れと、
解凍した冷凍麺につけるつゆを冷凍した冷凍つゆを入れることのできるつゆ入れと、
冷凍麺入れと、つゆ入れとの間に空間をあけて冷凍麺入れと、つゆ入れとを収容する容器本体と、
容器本体を密閉可能で容器本体を開閉可能な蓋と、
を有することを特徴とする食品容器。
【請求項２】
冷凍麺入れとつゆ入れを一体成形して容器本体に丁度嵌まり込むようにしたことを特徴とする請求項１に記載の食品容器。
【請求項３】
容器本体を密閉可能で開閉可能な蓋を有する食品容器に冷凍麺を収容した冷凍弁当であって、
容器本体内に設けられ冷凍状態の冷凍麺を収容可能であると共に容器本体との間に通水可能な多数の小開口を有するざる状の冷凍麺入れと、
冷凍麺入れに収納された冷凍麺と、
解凍した冷凍麺につけるつゆを冷凍した冷凍つゆを入れることのできるつゆ入れと、
つゆ入れに入れられる冷凍つゆと、
冷凍麺入れと、つゆ入れとの間に空間をあけて冷凍麺入れと、つゆ入れとを収容した容器本体と、
容器本体を密閉可能で容器本体を開閉可能な蓋と、
を有することを特徴とする冷凍麺弁当。
【請求項４】
冷凍麺は冷凍状態において無数の通水可能な隙間を設けてからませたものであることを特徴とする請求項３に記載の冷凍麺。
【請求項５】
うどん、そば、中華麺等の麺類において、冷凍状態において無数の通水可能な隙間を生ずるように麺条をからませてあることを特徴とする冷凍麺。
【発明の詳細な説明】
【技術分野】
【０００１】
本発明は煮沸又は電子レンジにより加熱することなく解凍して食するコンビニ等で販売するのに適する冷凍麺及び冷凍麺弁当の形態及びその容器の構成に関するものである。
【背景技術】
【０００２】
冷凍麺は殆どのものが、煮沸解凍又は電子レンジによる加熱によっている。何故そうしているかというと、麺の成分である澱粉の性状によるためでそのようにしなければ糊化して食に適する性状にならないためである。一般にこれを戻すといっている。また、注湯により解凍することも行われている。常温に戻すことにより食するに耐える味覚が生ずる冷凍麺が提案されている。冷凍麺は通常の麺玉を冷凍したものであり、麺条の間は殆ど通水しない。
【特許文献１】特開平９−２００７０４号公報
【特許文献２】特公平１１−９２１０号公報
【発明の開示】
【発明が解決しようとする課題】
【０００３】
冷凍麺の一般的な販売方法は単にラップ包装又は容器に入れたまま冷凍状態として店頭に置いている。そして、冷凍麺の購入者は家庭に帰り戻して後、調味すべきものは調味して食している。
【０００４】
夏期になると冷し麺が賞用される。ところが冷し麺も冷凍麺を加熱して戻した後に、再び冷して食している。また、常温で戻すことにより食するに耐える味覚が生ずる冷凍麺の場合であっても家庭に戻り一旦湯で戻したりしている。
【０００５】
本発明は常温で戻すことにより食するに耐える味覚が生ずる冷凍麺であって、水道水さえあれば、何処でも簡易に冷麺とすることができる冷凍麺及び冷凍弁当及びこの冷凍弁当に用いられる食品容器を提供することを目的とする。
【課題を解決するための手段】
【０００６】
本出願に係る第１の発明は容器本体を密閉可能で開閉可能な蓋を有する食品容器において、
容器本体内に設けられ冷凍状態の冷凍麺を収容可能であると共に容器本体との間に通水可能な多数の小開口を有するざる状の冷凍麺入れと、
解凍した冷凍麺につけるつゆを冷凍した冷凍つゆを入れることのできるつゆ入れと、
冷凍麺入れと、つゆ入れとの間に空間をあけて冷凍麺入れと、つゆ入れとを収容する容器本体と、
容器本体を密閉可能で容器本体を開閉可能な蓋と、
を有することを特徴とする食品容器である。
【０００７】
本出願に係る第２の発明は冷凍麺入れとつゆ入れを一体成形して容器本体に丁度嵌まり込むようにしたことを特徴とする第１の発明に記載の食品容器である。
【０００８】
本出願に係る第３の発明は容器本体を密閉可能で開閉可能な蓋を有する食品容器に冷凍麺を収容した冷凍弁当であって、
容器本体内に設けられ冷凍状態の冷凍麺を収容可能であると共に容器本体との間に通水可能な多数の小開口を有するざる状の冷凍麺入れと、
冷凍麺入れに収納された冷凍麺と、
解凍した冷凍麺につけるつゆを冷凍した冷凍つゆを入れることのできるつゆ入れと、
つゆ入れに入れられる冷凍つゆと、
冷凍麺入れと、つゆ入れとの間に空間をあけて冷凍麺入れと、つゆ入れとを収容した容器本体と、
容器本体を密閉可能で容器本体を開閉可能な蓋と、
を有することを特徴とする冷凍麺弁当である。
【０００９】
本出願に係る第４の発明は冷凍麺は冷凍状態において無数の通水可能な隙間を設けてからませたものであることを特徴とする第３の発明に記載の冷凍麺である。
【００１０】
本出願に係る第５の発明はうどん、そば、中華麺等の麺類において、冷凍状態において無数の通水可能な隙間を生ずるように麺条をからませてあることを特徴とする冷凍麺である。
【発明の効果】
【００１１】
解決しようとする問題点は冷凍麺を水で如何に解凍し、解凍したその場で冷麺として食することのできる食品容器の形態である。そしてこの食品容器は冷凍麺と冷凍つゆを収納した状態で賞用される冷凍弁当を得ることができるということである。このため、解凍時間の短い冷凍麺を提供することである。
【発明を実施するための最良の形態】
【００１２】
本発明は容器本体に対して密閉可能で開閉蓋を備えた食品容器を前提としている。この食品容器は容器本体との間に通水可能な開口を有する冷凍麺入れを備えている。この冷凍麺入れは冷凍麺を他へ移し変えたりしないで容器本体へ水道水を入れることにより解凍できる。そしてそのまま解凍された冷凍麺の食器となる。
【００１３】
つゆ入れが容器本体に設けてあるため、濃縮されたつゆは解凍して水でうすめるか、冷凍のままの袋を取り除いてつゆ入れに入れ加水して解凍する。
【００１４】
上記冷凍麺の最良の実施の形態は冷凍状態において無数の通水可能な隙間を生ずるように麺条をからませてある冷凍麺である。  
【実施例】
【００１５】
図１は食品容器の長手方向に沿う縦断面図、図２は図１のＡ−Ａ断面図、図３は図１のＢ−Ｂ断面図、図４は食品容器の平面図である。
【００１６】
容器本体１は方形で上縁は囲繞するようにフランジ１ａ−１付の嵌合部１ａが設けてある。嵌合部１ａに嵌合するフランジ２ａ−１付の嵌合部２ａを有する蓋２を有する。容器本体１に対して蓋２は取り外し可能に密閉して装着して開閉可能又は取り外さないで開閉可能である。蓋２を容器本体１に対して取り外さないで開閉可能とするには嵌合部１ａ，２ａの一辺のフランジ１ａ−１，２ａ−１の縁に沿って一体成形とする。即ち、図２に示すように容器本体１、蓋２の１つの縁において嵌合部１ａ，２ａの外側を一体としてヒンジ１２を設ける。ヒンジ１２を設けないことにより蓋２は容器本体１に取り外し可能に密閉して装着される。
【００１７】
容器本体１内には多数の穴３ａを設けたざる状の冷凍麺入れ３が設けてある。冷凍麺入れ３と容器本体１の外周部１ｃとの間には空間１ｄが設けてある。また容器本体１の底１ｅと冷凍麺入れ３の底３ｂとの間にも空間１ｆを設けてある。このような構成であるので空間１ｄ，１ｆと冷凍麺入れ３内との間は穴３ａを通じて通水可能となっている。冷凍麺入れ３はざる状であれば穴３ａに限らない。冷凍麺入れ３は下縁のフランジ３ｄが容器本体１の底１ｅに着座し、上縁３ｃは蓋２に接近又は接触している。フランジ３ｄはまた、容器本体１の外周部１ｃに接近又は接触している。
【００１８】
冷凍麺入れ３内には水道水で戻しただけで食味が出る冷凍麺４が収容されている。通常の麺類は煮沸しないと賞味に耐えない。また、即席麺は湯で戻さないと賞味できない。ここでの冷凍麺４は例えば特許文献２に示した麺である。
【００１９】
ここで、冷凍麺４は冷凍する前の麺条をからませる段階で麺状間に無数の隙間が生ずるように、ばらけさせ乍絡ませる。この隙間は冷凍により麺条表面に生ずる霜上の結氷によりふさがれない程度でなるべく小さく通水可能であればよい。ここで、無数の隙間とは麺玉全体にわたり広く小隙間が分布していることをいう。
【００２０】
つゆ入れ５は冷凍麺入れ３と一体成形されている。つゆ入れ５にはパックになった濃縮つゆ６及び冷凍された具７が収容されている。具７はパックでもよくパックなしでもよく解凍すればそのまま食することができる生わかめ、ハム等である。
【００２１】
つゆ入れ５の底５ａは容器本体１の底１ｅに載置され、上縁５ｂは蓋２に接近又は接触している。つゆ入れ５の下縁のフランジ５ｃは容器本体の底１ｅ及び外周部１ｃに接近又は接触している。
【００２２】
冷凍麺入れ３とつゆ入れ５は別々に作って容器本体１につめ合わせてもよいが、これらは一体成形の方が製造上、取扱上よい。冷凍麺入れ３とつゆ入れ５と一体になったものを中子８と称するものとする。中子８は下部に容器本体１の底部に丁度嵌合するようにフランジ３ｄ，５ｃを有する。フランジ３ｄ，５ｃは中子全周わたってもよいし、中子８が容器本体１内で動かなければ部分的に設けてもよい。容器本体１の外周部１ｃは底すぼみであり上部に行くに従って容器断面が広くなっている。
【００２３】
蓋２と中子８の上縁３ｃ，５ｂは接近又は接触しており、中子８を動かないようにしてある。
【００２４】
上記において、容器本体１の嵌合部１ａのフランジ１ａ−１よりも中子８の上縁３ｃ，５ｂは高い位置としてある。
【００２５】
容器本体１、蓋２、中子８、冷凍麺４、つゆ６、具７を一体としたものを冷凍して冷凍弁当としてコンビンエンスストアで販売する。
【００２６】
夏期、例えば建築現場で働く人がいる。
【００２７】
昼食の際には、これらを買って来て蓋２を開いて冷凍麺４に向って水道水をそそぐこの直接の水道水のそそぎで冷凍麺４は解凍して行く。冷凍麺４にそそがれた水は冷凍麺４の麺条間の隙間を通って次に穴３ａを通じて空間１ｄ，１ｆ内へ流れ容器本体１のフランジ１ａ−１を越えて容器本体１から排出される。そして、数分待つと、冷凍麺４は氷が一部付着した状態で解凍される。ここで容器本体１から容器本体１を傾けて排水するつゆ６はつゆ入れ５に水道水を注いで半解凍になるのを待って破袋する、つゆ６を破袋して中身をつゆ入れに入れて後に水道水を入れて解凍するか何れでもよい。即ち、つゆは濃縮つゆであるから水で薄める必要がある。
【００２８】
なお、水道水を冷凍麺４に注水だけで解凍するのではなく、容器本体１に水を充満させ水換えをくり返して冷凍麺４の解凍を待ってもよい。なお、容器本体１に水が入るとつゆ入れ５に浮力が働くので、中子８は容器本体から浮上しないように設ける。このためフランジ３ｄ，５ｃは容器本体１の外周１ｃにやや強く嵌合するように設けるとよい。
【産業上の利用可能性】
【００２９】
容器本体１、蓋２、中子８等は例えばポリスチレンＰＳ製により製作している。解凍のみで食味のある冷凍麺の製法は提案されている。麺玉を作る際に麺条間に隙間を広い範囲にわたって多く設けることは押出ダイスの麺条を押し出す穴の間隔を大きくする等が一つの解決方法である。容器毎冷凍する技術は確立している。
【００３０】
コンビニエンスストアは広く展開している。
【００３１】
したがって本発明の冷凍弁当は広く賞用される可能性が大である。
【００３２】
冷凍麺の種類としては、冷麺に適する麺であれば、うどん、そば、中華等何れであっても適用できる。
【００３３】
夏期の水道水の温度は需要者の末端水栓において、出し始めは気温との差が小さく出し放しとした定常状態において、例えば大略１９度Ｃ〜２１度Ｃである。そして、末端水栓近くの水道管は気温近くになっており熱容量が大であり、水温が定常になるまではかなりの時間がかかる。従って、麺条間隙間の多い冷凍麺は短時間で解凍される。
【図面の簡単な説明】
【００３４】
図面は何れも実施の形態を示し、
【図１】冷凍弁当の長手方向に沿う縦断面図である。
【図２】図1のＡ−Ａ断面図である。
【図３】図1のＢ−Ｂ断面図である。
【図４】図1の平面図である。
【符号の説明】
【００３５】
１…容器本体  １ａ…嵌合部  １ａ−１フランジ  １ｃ…外周部  １ｄ…空間  １ｅ…容器本体の底  １ｆ…空間
２…蓋  ２ａ…嵌合部  ２ａ−１…フランジ
３…冷凍麺入れ  ３ａ…穴  ３ｂ…冷凍麺入れの底  ３ｃ…上縁  ３ｄ…下縁のフランジ
４…冷凍麺  
５…つゆ入れ  ５ａ…つゆ入れの底  ５ｂ…上縁  ５ｃ…下縁のフランジ
６…濃縮つゆ
７…冷凍された具
８…中子
１２…ヒンジ
【図１】
2005263308.tif 000003
【図２】
2005263308.tif 000004
【図３】
2005263308.tif 000005
【図４】
2005263308.tif 000006
【手続補正書】
【提出日】平成17年5月6日(2005.5.6)
【手続補正１】
【補正対象書類名】明細書
【補正対象項目名】０００２
【補正方法】変更
【補正の内容】
【０００２】
冷凍麺は殆どのものが、煮沸解凍又は電子レンジによる加熱によっている。何故そうしているかというと、麺の成分である澱粉の性状によるためでそのようにしなければ糊化して食に適する性状にならないためである。一般にこれを戻すといっている。また、注湯により解凍することも行われている。常温に戻すことにより食するに耐える味覚が生ずる冷凍麺が提案されている。冷凍麺は通常の麺玉を冷凍したものであり、麺条の間は殆ど通水しない。
【特許文献１】特開平９−３０８４５０号公報
【特許文献２】特開平１１−９２１０号公報